【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
コンテンツデータを利用する装置を接続する第１接続部と、
複数のコンテンツデータと、該コンテンツデータを利用する装置の１又は複数の機種に対応した１又は複数の変換ルールとを記憶する記憶部と、
前記第１接続部に接続された前記装置の機種を識別する機種ＩＤを取得する機種ＩＤ取得部と、
前記１又は複数の機種に対応した変換ルールのうち、前記機種ＩＤ取得部により取得された機種ＩＤに対応するものを抽出する抽出部と、
前記記憶部に記憶された複数の前記コンテンツデータのうち任意のコンテンツデータを選択する選択部と、
前記選択部により選択されたコンテンツデータを前記装置で利用可能とするための変換の要否を判定する変換判定部と、
前記変換判定部により変換が必要と判定された場合、前記抽出部により抽出された変換ルールに基づき前記選択されたコンテンツデータを前記装置で利用可能なコンテンツデータに変換する変換部と、
前記選択部によって選択されたコンテンツデータ若しくは前記変換部により変換されたコンテンツデータを、前記第１接続部を介して前記装置に転送する同期化処理部
を備えるコンテンツデータ管理装置。
【請求項２】
通信ネットワークを介してサーバに接続する第２接続部と、
前記第２接続を介して接続された前記サーバから前記変換ルールの最新バージョンを取得して、前記記憶部に記憶されている当該変換ルールを、該取得された最新バージョンに更新する更新部
を更に備えることを特徴とする請求項１に記載のコンテンツデータ管理装置。
【請求項３】
通信ネットワークを介してサーバに接続する第２接続部を更に備え、
前記第２接続を介して接続された前記サーバに登録されたアカウントの情報でログオンすることにより、コンテンツデータ管理装置が利用可能になる請求項１に記載のコンテンツデータ管理装置。
【請求項４】
前記変換判定部は、前記選択部により選択されたコンテンツデータが前記装置でネイティブサポートするデータか否かを判定することにより、前記変換の要否を判定することを特徴とする請求項１乃至３のいずれかに記載のコンテンツデータ管理装置。
【請求項５】
コンピュータに、コンテンツデータを管理する機能を実行させるためのプログラムであって、
該コンピュータに接続された装置の機種を識別する機種ＩＤを取得する手順と、
前記取得する手順により取得された機種ＩＤに対応する変換ルールを該コンピュータの記憶部から抽出する手順と、
任意のコンテンツデータを前記コンピュータの記憶部から選択する手順と、
前記選択する手順により選択されたコンテンツデータを前記装置で利用可能とするための変換の要否を判定する手順と、
前記変換が必要と判定された場合、前記抽出された変換ルールに基づき前記選択されたコンテンツデータを前記装置で利用可能なデータに変換する手順と、
前記選択されたコンテンツデータ若しくは前記変換されたコンテンツデータを、前記装置に転送する手順
を、前記コンピュータに実行させるプログラム。
【手続補正２】
【補正対象書類名】明細書
【補正対象項目名】発明の名称
【補正方法】変更
【補正の内容】
【発明の名称】コンテンツデータ管理装置及びプログラム
【手続補正３】
【補正対象書類名】明細書
【補正対象項目名】０００１
【補正方法】変更
【補正の内容】
【０００１】
この発明は、電子楽器等の装置で利用するコンテンツデータを管理するためのコンテンツデータ管理装置及びプログラムに関する。
【手続補正４】
【補正対象書類名】明細書
【補正対象項目名】０００５
【補正方法】変更
【補正の内容】
【０００５】
【特許文献１】特開２００７−２８６５７１号公報
【特許文献２】特開２００６−２５４２４４号公報
【特許文献３】特開２００２−１４９１６６号公報
【特許文献４】特開２００８−２５７２６６号公報
【手続補正５】
【補正対象書類名】明細書
【補正対象項目名】０００８
【補正方法】変更
【補正の内容】
【０００８】
また、通信ネットワーク上のサーバがコンテンツデータを電子楽器に配信する場合、電子楽器側に暗号化コンテンツのデコーダを具備し、電子楽器が暗号化されたコンテンツデデータのデコード（復号化）を行わなければならなかった。一般に、暗号化されたデータの復号化に要する演算は複雑であり、デコーダを実装するとすれば、電子楽器内により多くのリソース（ＣＰＵ演算量、ＲＡＭ容量及びプログラム容量等）を必要とする。例えば、デコードするタイミングとして、暗号化されたデータが選択されたとき（そのデータを使用するとき）に当該データをデコードする構成を採用した場合は、データ選択動作のレスポンスが悪くなってしまうという不都合があった。また、データを保存するときにデコードする構成を採用した場合は、データの保存に長時間かかってしまうという不都合がある。また、復号化の演算には、長いプログラムと多くのＲＡＭ容量を要するため、電子楽器に備わるリソースによって、その電子楽器に搭載できるデコードアルゴリズムが制限されてしまう。加えて、電子楽器にデコーダを備える構成では、同電子楽器内にそのアップデートを行う機能を実装せねばならず、また、ユーザにとっても、煩雑なアップデートの作業が必要となる。
【手続補正６】
【補正対象書類名】明細書
【補正対象項目名】０００９
【補正方法】変更
【補正の内容】
【０００９】
この発明は、上記の点を鑑みてなされたもので、電子楽器等のコンテンツデータを利用する装置に接続されたコンテンツデータ管理装置によって、コンテンツの管理（複数コンテンツの中からの選択、および、並べ替え）を行い、コンテンツデータを利用する装置内にコンテンツ管理機能を用意しなくても、コンテンツの管理が行えるようにすることを目的とする。ここで、コンテンツデータ管理装置は、電子楽器等のコンテンツデータを利用する装置本体より使いやすいユーザインターフェースを提供することができる。また、コンテンツデータの変換や復号化は、コンテンツデータ管理装置内において、コンバータ（変換ルール）やデコーダ（復号プログラム）に基づいて行われ、コンテンツデータを利用する装置内にコンテンツの変換や復号化の機能を用意しなくても、コンテンツデータを利用する装置で様々なフォーマットのコンテンツデータや、暗号化されたコンテンツデータが利用できるようにすることを目的とする。さらに、コンテンツ管理装置は、コンバータやデコーダのアップデート機能を備えており、電子楽器側でのアップデートをすることなく、新たなフォーマットのデータや新たな方式で暗号化されたデータに対応できるようにすることを目的とする。
【手続補正７】
【補正対象書類名】明細書
【補正対象項目名】００１０
【補正方法】変更
【補正の内容】
【００１０】
この発明の請求項１に係るコンテンツデータ管理装置は、コンテンツデータを利用する装置を接続する第１接続部と、複数のコンテンツデータと、該コンテンツデータを利用する装置の１又は複数の機種に対応した１又は複数の変換ルールとを記憶する記憶部と、前記第１接続部に接続された前記装置の機種を識別する機種ＩＤを取得する機種ＩＤ取得部と、前記１又は複数の機種に対応した変換ルールのうち、前記機種ＩＤ取得部により取得された機種ＩＤに対応するものを抽出する抽出部と、前記記憶部に記憶された複数の前記コンテンツデータのうち任意のコンテンツデータを選択する選択部と、前記選択部により選択されたコンテンツデータを前記装置で利用可能とするための変換の要否を判定する変換判定部と、前記変換判定部により変換が必要と判定された場合、前記抽出部により抽出された変換ルールに基づき前記選択されたコンテンツデータを前記装置で利用可能なコンテンツデータに変換する変換部と、前記選択部によって選択されたコンテンツデータ若しくは前記変換部により変換されたコンテンツデータを、前記第１接続部を介して前記装置に転送する同期化処理部を備える。
【手続補正８】
【補正対象書類名】明細書
【補正対象項目名】００１１
【補正方法】変更
【補正の内容】
【００１１】
記憶部に複数のコンテンツデータと、該コンテンツデータを利用する装置の１又は複数の機種に対応した１又は複数の変換ルールとを記憶しており、該記憶された複数の前記コンテンツデータのうち任意のコンテンツデータを選択する選択部を備えているので、コンテンツデータを利用する装置内にコンテンツ管理機能を用意しなくても、コンテンツの管理が行える。コンテンツデータが選択されたときに、そのコンテンツデータを装置で利用可能とするための変換が必要か否かを判定し、必要と判定された場合、その装置の機種に対応した変換ルールに基づき該コンテンツデータを前記装置で利用可能なコンテンツデータに変換してから転送できる。したがって、コンテンツデータを利用する装置側でコンバータ（変換ルール）等の複雑な機能を用意していなくても、例えばその装置でネイティブサポートしていないコンテンツデータ等を利用できるようになる。
【手続補正９】
【補正対象書類名】明細書
【補正対象項目名】００１２
【補正方法】変更
【補正の内容】
【００１２】
請求項１に係るコンテンツデータ管理装置は、一実施形態として、通信ネットワークを介してサーバに接続する第２接続部と、前記第２接続部を介して該サーバから該変換ルールの最新バージョンを取得して、前記記憶部に記憶されている当該変換ルールを、該取得された最新バージョンに更新する更新部を更に備えるよう構成できる。
【手続補正１０】
【補正対象書類名】明細書
【補正対象項目名】００１３
【補正方法】変更
【補正の内容】
【００１３】
コンテンツデータ管理装置が、第２接続部を介して通信ネットワーク上のサーバに接続し、該サーバから該変換ルールの最新バージョンを取得して、記憶部に記憶されている当該変換ルールを、該取得された最新バージョンに更新するので、変換ルールの更新を簡単な処理で行うことができる。それにより、変換ルールのバグ修正を速やかに行ったり、或いは、既存のフォーマットの仕様変更、新開発のフォーマット、或いは、新開発された電子楽器の機能等に、迅速に対応させたりすることができる。
【手続補正１１】
【補正対象書類名】明細書
【補正対象項目名】００１４
【補正方法】変更
【補正の内容】
【００１４】
更に別の実施形態として、コンテンツデータ管理装置は、通信ネットワークを介してサーバに接続する第２接続部を更に備え、前記第２接続を介して接続された前記サーバに登録されたアカウントの情報でログオンすることにより、コンテンツデータ管理装置が利用可能になるように構成できる。
【手続補正１２】
【補正対象書類名】明細書
【補正対象項目名】００１５
【補正方法】変更
【補正の内容】
【００１５】
サーバに登録されたアカウントの情報でログオンすることにより、コンテンツデータ管理装置が利用可能となるように構成にすることで、サーバに登録されているアカウントに対してのみ、コンテンツデータを管理するサービスを提供できるようになる。
【手続補正１３】
【補正対象書類名】明細書
【補正対象項目名】００１６
【補正方法】変更
【補正の内容】
【００１６】
請求項１に係るコンテンツデータ管理装置において、前記変換判定部は、前記選択部により選択されたコンテンツデータが前記装置でネイティブサポートするデータか否かを判定することにより、前記変換の要否を判定するように構成できる。
【手続補正１４】
【補正対象書類名】明細書
【補正対象項目名】００１７
【補正方法】変更
【補正の内容】
【００１７】
また、この発明は、コンピュータに、コンテンツデータを管理する機能を実行させるためのプログラムであって、該コンピュータに接続された装置の機種を識別する機種ＩＤを取得する手順と、前記取得する手順により取得された機種ＩＤに対応する変換ルールを該コンピュータの記憶部から抽出する手順と、任意のコンテンツデータを前記コンピュータの記憶部から選択する手順と、前記選択する手順により選択されたコンテンツデータを前記装置で利用可能とするための変換の要否を判定する手順と、前記変換が必要と判定された場合、前記抽出された変換ルールに基づき前記選択されたコンテンツデータを前記装置で利用可能なデータに変換する手順と、前記選択されたコンテンツデータ若しくは前記変換されたコンテンツデータを、前記装置に転送する手順を実行させるプログラムである。
【手続補正１５】
【補正対象書類名】明細書
【補正対象項目名】００１８
【補正方法】変更
【補正の内容】
【００１８】
この発明によれば、コンテンツデータの管理を、該コンテンツデータを利用する装置自身で行うのではなく、コンテンツデータ管理装置で行うようにした構成により、コンテンツデータの取捨選択や、その並べ替えを、該コンテンツデータを利用する装置よりも操作性のよいユーザインターフェース（選択部）を用いて、より効率的に行うことができる。
【手続補正１６】
【補正対象書類名】明細書
【補正対象項目名】００１９
【補正方法】変更
【補正の内容】
【００１９】
また、請求項１に係るコンテンツデータ管理装置によれば、選択したコンテンツデータを転送するとき、すなわち、同期化処理のとき、コンテンツデータ管理装置側でコンテンツデータを適宜変換（コンバート）してから当該コンテンツデータを利用する装置に転送する構成であるため、たとえ、その選択したコンテンツデータが、該利用する装置でサポートされていないフォーマット（過去の機種のフォーマット、新たに開発されたフォーマット等）や、該利用する装置にない機能を必要とするデータであっても、コンテンツデータを利用する装置側で、その選択されたコンテンツデータを利用することができる。コンテンツを利用する装置側ではコンテンツデータを変換するための機能を用意しなくてもよい。
【手続補正１７】
【補正対象書類名】明細書
【補正対象項目名】００２０
【補正方法】削除
【補正の内容】